(57)【要約】  本発明は、２つの機械部分を用いて複数の糸を加工して巻き返すためのテクスチャード加工機に関する。両方の機械部分は互いに鏡面対称的に配置されていて、それぞれ複数の加工箇所を有し、加工箇所はそれぞれ、複数の糸を加工して巻き取るための複数のプロセス装置を備えている。１つの鏡面対称面を中心として相対して配置された加熱装置は、各機械部分内で互いに独立して制御及び調整されるようになっている。所要スペースの少ないコンパクトな構造を維持し、かつ熱損失を避けるために、本発明に基づき両方の機械部分の加熱装置は、鏡面対称面内で一緒に１つの絶縁ケーシング内に配置され、該絶縁ケーシング内で両方の加熱装置間に熱遮断部を形成してある。これによって加熱装置間の相互の影響は避けられ、各加熱装置は個別に設定できるようになっている。【特許請求の範囲】
【請求項１】
２つの機械部分を用いて複数の糸を加工して巻き返すためのテクスチャード加工機であって、前記機械部分は互いに鏡面対称的に配置されていて、それぞれ複数の加工箇所を有しており、前記加工箇所はそれぞれ、前記複数の糸を加工して巻き取るための複数のプロセス装置を備えており、前記機械部分間の仮想の１つの鏡面対称面に向けられたプロセス装置は、加熱装置（１３．１，１３．２）によって形成されており、前記一方の機械部分（１）の加熱装置（１３．１）は、前記他方の機械部分（２）の加熱装置（１３．２）に対して独立して制御並びに調整されるようになっている形式のものにおいて、前記両方の機械部分（１，２）の前記加熱装置（１３．１，１３．２）は、前記鏡面対称面内で一緒に１つの絶縁ケーシング（１４）内に配置されており、該絶縁ケーシング（１４）内で前記両方の加熱装置（１３．１，１３．２）間に熱遮断部（１５）を形成してあることを特徴とする、テクスチャード加工機。
【請求項２】
熱遮断部（１５）は、絶縁ケーシング（１４）内を加熱装置（１３．１，１３．２）の全幅及び全長にわたって延びている請求項１に記載のテクスチャード加工機。
【請求項３】
加熱装置（１３．１，１３．２）間の熱遮断部（１５）は、加熱装置（１３．１，１３．２）のうちの１つの加熱装置のみを作動させる場合に、非作動の加熱装置内を通る糸が８０℃よりも低い最大温度でしか加熱されないように構成されている請求項１又は２に記載のテクスチャード加工機。
【請求項４】
熱遮断部（１５）は空隙（２４）によって形成されており、前記空隙は、絶縁ケーシング（１４）の下側の少なくとも１つの開口部（２５）及び、該絶縁ケーシング（１４）の上側の少なくとも１つの開口部（２３）を介して外部に接続されている請求項１から３のいずれか１項に記載のテクスチャード加工機。
【請求項５】
絶縁ケーシング（１４）の下側（２２）の開口部（２５）及び、該絶縁ケーシング（１４）の上側（２１）の開口部（２３）はスリット状に形成されていて、同一の寸法で空隙（２４）の幅にわたって延びている請求項４に記載のテクスチャード加工機。
【請求項６】
絶縁ケーシング（１４）の上側（２１）の開口部（２３）は、カバー（３８）によって開閉されるようになっている請求項４又は５に記載のテクスチャード加工機。
【請求項７】
絶縁ケーシング（１４）は、加熱装置（１３．１，１３．２）の収容のための、薄板状のケーシング壁（２６，２７）によって画成された２つの絶縁室（２７．１，２７．２）を有しており、該絶縁室（２７．１，２７．２）は、前記加熱装置（１３．１，１３．２）を取り囲む少なくとも１つの絶縁部材（３３）を含んでおり、熱遮断部（１５）は前記絶縁室（２７．１，２７．２）間に配置されている請求項１から６のいずれか１項に記載のテクスチャード加工機。
【請求項８】
各加熱装置（１３．１，１３．２）はそれぞれ、複数の糸の加熱のための複数の加熱管（２８．１，２８．２）を有しており、該複数の加熱管（２８．１，２８．２）は前記加熱装置毎に一緒に、前記各加熱装置（１３．１，１３．２）に対応して設けられた各１つの熱手段によって加熱されるようになっている請求項１から７のいずれか１項に記載のテクスチャード加工機。
【請求項９】
熱手段は、熱媒によって形成されており、熱媒は熱媒回路（３４，３５）を用いて加熱管（２８．１，２８．２）の外周壁に導かれるようになっている請求項８に記載のテクスチャード加工機。
【請求項１０】
加熱装置（１３．１，１３．２）に対応配置された熱媒回路（３４，３５）は互いに独立して制御及び調整されるようになっている請求項９に記載のテクスチャード加工機。
【発明の詳細な説明】
【技術分野】
【０００１】
本発明は、２つの機械部分を用いて複数の糸を加工して巻き返すためのテクスチャード加工機であって、機械部分（機械半部）は互いに鏡面対称的に配置されていて、それぞれ複数の加工箇所を有しており、加工箇所はそれぞれ、複数の糸を加工して巻き取るための複数のプロセス装置を備えており、機械部分間の仮想の１つの対称面若しくは中央面に向けられたプロセス装置は、加熱装置によって形成されており、一方の機械部分の加熱装置は、他方の機械部分の加熱装置に対して独立して制御並びに調整若しくは調節されるようになっている形式のものに関する。
【０００２】
前記形式のテクスチャード加工機は、国際公開第９８／３３９６３号明細書により公知である。公知のテクスチャード加工機は、複数の糸を同時にテクスチャード加工してボビンに巻き取るための複数の加工箇所（加工部位）を有している。このために、プロセス装置（加工装置若しくは処理装置）、例えば供給装置、加熱装置、冷却装置、テクスチャード加工装置及び巻き取り装置は１つの機械フレーム内に保持されている。加工箇所、ひいてはプロセス装置は２つの機械部分（機械半部）に分けられており、この場合に機械部分は互いに鏡面対称的に配置されている。このような配置は、高い空間利用率を可能にして、加工箇所の数量と機械の所要スペースとの間の良好な関係を達成している。機械部分内の加工箇所は独立して作動され、つまり機械部分内のプロセス装置は独立して駆動及び制御されるようになっている。公知のテクスチャード加工機においては、対称平面は両方の機械部分間、並びに機械部分内に保持されたプロセス装置間の分割部を成しており、供給された糸材料に応じて加工箇所の個別の調節を行うようになっている。
【０００３】
さらに、対称的に形成されたテクスチャード加工機（ダブル式機械若しくは双子形機械）は、例えば米国特許第４５８１８８４号明細書により公知である。該公知のテクスチャード加工機は、すべての加工箇所、つまり各機械部分内で糸を同一のパラメータ及び同一の調節量でテクスチャード加工して巻き取るように構成されている。両方の機械部分内におけるプロセス装置の高い集積度（組み込み密度）、ひいてはできるだけ高い空間利用率を達成するために、対称平面内に、両方の機械部分に用いられる共有の１つのプロセス装置、例えば加熱装置を配置してある。この種の加熱装置は、互いに並列に案内される２つの糸群の同時加熱のための案内及び加熱手段を有している。すなわち、プロセス装置は必然的に両方の機械部分内のすべて糸の同時処理のために構成され、使用されるものである。機械部分内のプロセス装置の個別の調整は実施され得ないものである。
【０００４】
本発明の課題は、冒頭に述べた形式のテクスチャード加工機を改善して、テクスチャード加工機の機械部分内のプロセス装置の個別の調整を可能にすると共に、ロセス装置の高い集積度、ひいては高い空間利用率を可能にすることである。さらに、機械部分の構成を改善して、エネルギー消費量をできるだけ節減することである。
【０００５】
前記課題を達成するために本発明の構成では、両方の機械部分の加熱装置は、機械部分間の対称面内で一緒に１つの絶縁ケーシング内に配置されており、該絶縁ケーシング内で前記両方の加熱装置間に熱遮断部若しくは断熱部を形成してある。
【０００６】
本発明の有利な実施態様を従属請求項に記載してある。
【０００７】
本発明に基づく構成により、利点として、熱損失を避けるために加熱装置にかかる一般的な絶縁費用は、著しく節減されており、それというのは機械部分内の隣接の複数の加熱装置は、外部（周囲）に対して一緒に絶縁されているからである。絶縁ケーシング内において、両方の機械部分の相対する加工箇所の糸の温度調整の際の加工箇所間の相互の影響を避けるために、加熱装置間に熱遮断部（ヒートバリア[heat barrier]若しくはサーマルバリア[thermal barrier]）を形成してある。熱遮断部（熱遮断層）は、加熱装置間の熱伝達を阻止するための手段を意味している。重要なことは、各加熱装置に属する糸の熱処理が、当該糸に属する加熱装置によって行われ、行い、隣接の加熱装置によっては行われないようになっていることである。
【０００８】
加熱装置は通常は複数の糸をグループとして同時に案内並びに加熱するようになっているので、有利な実施態様では、熱遮断部は、絶縁ケーシング内をほぼ加熱装置の全幅（糸走行方向と直角な方向の寸法）及び全長（糸走行方向の寸法）にわたって延びており、いずれの糸も隣接の加熱装置からの放熱によって不都合に加熱されないようになっている。
【０００９】
一方の機械部分は糸の温度調節なしに運転されるのに対して、隣接の他方の機械部分は糸を最大の温度で温度調節する状態で運転されるというような特殊な運転状態の場合にも、機械部分間、つまり加熱装置間の相互の不都合な影響（伝熱）を避けるために、本発明の有利な実施態様では、加熱装置間の熱遮断部は、加熱装置のうちの１つの加熱装置のみの作動に際して、非作動の加熱装置内を通る糸が８０℃よりも低い最大温度（＜８０℃の温度）でしか加熱されないように構成されている。これにより、温度調節しない糸における不都合な熱変化は、隣接の加熱装置で該加熱装置に属する糸を最大に加熱する場合でも避けられるようになっている。
【００１０】
本発明の有利な実施態様では、熱遮断部は空隙によって形成されており、空隙は、絶縁ケーシングの下側の少なくとも１つの開口部及び、絶縁ケーシングの上側の少なくとも１つの開口部を介して外部（周囲）に接続され、つまり外部に通じている。このような構成により、加熱装置間の熱伝達の防止のための２つの作用効果を達成している。第１に、明らかなように、空気は低い熱伝導率を有しており、その結果、熱遮断部における高い絶縁作用を達成している。第２に、下方及び上方で開いた空隙は、煙突作用（煙突効果）を生ぜしめ、その結果、空隙内に対流を発生させ、該対流によって効果的な対流熱伝達を達成している。つまり、熱遮断部の作用を著しく改善している。
【００１１】
空隙の全幅（糸走行方向若しくは上下方向と直角な方向の寸法）にわたる一様な空気流を得るために、絶縁ケーシングの下側（下方）の開口部及び上側（上方）の開口部はスリット状に形成されていて、ほぼ同一の寸法（大きさ）で空隙の幅にわたって延びている。
【００１２】
両方の機械部分内において位置をほぼ同一の温度で処理する場合に、空隙からの熱の放出を避けるために、本発明の有利な実施態様では、絶縁ケーシングの上側の開口部は、可動若しくは旋回可能なカバー（蓋）によって開閉されるようになっている。これによって、熱遮断部の熱遮断作用は運転条件若しくは設定されたパラメータに応じてカバーを開閉して調節されるようになっている。
【００１３】
加熱装置を周囲に対してより経済的かつ効果的に熱絶縁するために、本発明の実施態様では、絶縁ケーシングは、加熱装置の収容のための２つの絶縁室を有しており、該２つの絶縁室は薄板状のケーシング壁によって画成されており、絶縁室は、加熱装置を取り囲む少なくとも１つの絶縁部材若しくは絶縁物質を含んでおり、熱遮断部は両方の絶縁室間に配置されている。これにより、加熱装置の不都合な熱損失は最小限度に減少されている。
【００１４】
テクスチャード加工機の対称平面内に配置された加熱装置は、糸の捲縮加工に有利に適しており、この場合に糸はわずかな過剰供給で加熱装置内へ送られるようになっている。糸の確実な案内及び温度調節を保証するために、各加熱装置はそれぞれ、複数の糸の加熱のための複数の加熱管を有しており、つまり各糸に対応してそれぞれ加熱管を配置してあり、該複数の加熱管は各加熱装置毎に一緒に、各加熱装置に対応して設けられた各１つの熱手段によって、つまりそれぞれの加熱装置に属するそれぞれ１つの加熱手段によって加熱されるようになっている。熱手段として有利には熱媒を用いるようになっており、熱媒は熱媒回路を用いて加熱管の外周壁に導かれるようになっている。この場合に、両方の加熱装置に設けられた各熱媒回路は、互いに独立して２８０℃の最大温度まで調整並びに制御されるようになっている。
【図面の簡単な説明】
【００１５】
【図１】本発明に基づくテクスチャード加工機の概略的な横断面図である。
【図２】１つの絶縁ケーシング内に配置された加熱装置の概略的な斜視図である。
【図３】絶縁ケーシング内に配置された加熱装置の概略的な断面図である。
【図４】絶縁ケーシング内に配置された加熱装置の別の実施例の概略的な横断面図である。
【００１６】
図１には、本発明に基づくテクスチャード加工機の第１の実施例を概略的に示してある。テクスチャード加工機は、鏡面対称的に並べて配置された２つの機械部分１，２を有している。図示の実施例において、「．１」を付加的に有する符号の構成部分は機械部分１に属するもの、つまり機械部分１に対応配置されるものであり、「．２」を付加的に有する符号の構成部分は機械部分２に対応は位置されるものである。
【００１７】
各機械部分１，２はそれぞれ、１つの糸を加工（テクスチャード加工）して、巻き取るための複数の精紡箇所を有している。各機械部分内にそれぞれ１つの加工箇所の糸経路を示してある。機械部分１，２は、互いに並列に走行する複数の糸を同時に加工して巻き取るために、同一横断面で機械長手方向に、つまり図平面に対して垂直方向に並べられた別の加工箇所を有している。機械部分１，２の巻き取り装置は、３つの加工箇所で１つの幅を有しており、つまりそれぞれ３つの加工箇所の３つの巻取り装置を互いに上下に配置して１つの支柱に取り付けてある。
【００１８】
図１の断面図は、機械部分１，２内に相対して位置している加工箇所の糸経路２を示しており、この場合に糸の引っ張り、案内、テクスチャード加工、処理及び巻取りのために必要なプロセス装置は、機械フレーム４．１，４．２に保持されており、機械部分１の機械フレーム４．１は、作業通路２０．１を部分的に取り囲む糸経路のためのプロセス装置を保持しており、機械部分２の機械フレーム４．２は、作業通路２０．２を部分的に取り囲む糸経路のためのプロセス装置を保持している。
【００１９】
次にプロセス装置は、左側の機械部分１の加工箇所（加工部位）における糸経路につき説明してある。右側の機械部分２のプロセス装置の配置及び構成は、左側の機械部分１のプロセス装置に対して鏡面対称的に同じである。
【００２０】
糸４０を、クレールフレーム３．１内に保持された供給ボビン５から加工箇所へ引き出すために、引き出し供給装置６．１を設けてある。糸走行方向で引き出し供給装置６．１に続けて加工領域（処理領域）を配置してあり、該加工領域はヒーター７．１、クーラー８．１及びテクスチャード加工装置９．１を備えている。さらに該加工領域に続けて、ストレッチ装置１０．１、撚り装置１１．１、送り装置１２．１、加熱装置１３．１、固定兼送り装置若しくはセット送り装置１６．１、及び巻取り装置１７．１を配置してある。ここに述べたプロセス装置は、加工箇所毎の個別装置（独立の装置）として形成され、若しくは、各グループの複数の多重装置（集合装置若しくは連結装置）として形成されていてもよい。機械部分１の加工箇所のプロセス装置は、相対（対向）する機械部分２の加工箇所のプロセス装置から独立して駆動及び制御されるようになっている。これにより、糸は左側の機械部分１の加工箇所で単独に（独立して）かつ任意の加工条件で加工されるようになっている。
【００２１】
加工箇所内には糸案内のために、詳細には示してないものの糸案内部材、例えば糸ガイド及び転向ローラを設けてあり、これにより糸は、例えばヒーター７．１とクーラー８．１との間の移行部で転向ローラ１９．１を介して案内されている。
【００２２】
機械部分１，２内にプロセス装置をできるだけコンパクトに、つまり密に配置するために、１つの対称平面内に配置された加熱装置１３．１，１３．２は一緒に、１つの絶縁ケーシング１４内に保持されている。加熱装置１３．１，１３．２による糸の温度調節の際の相互の影響を避けるために、絶縁ケーシング１４内においては加熱装置１３．１と加熱装置１３．２との間に熱遮断部１５を設けてある。熱遮断部１５は図１では絶縁ケーシング１４内に破線で示してある。
【００２３】
絶縁ケーシング１４は、機械フレーム４．１，４．２内で階層状に配置された、つまり段々に積み重ねるように配置された巻取り装置１７．１と１７．２との間に保持されている。この場合に絶縁ケーシング１４は有利には、例えば巻取り装置１７．１，１７．２を固定するために、機械フレーム４．１，４．２の支持機能をも有している。このような手段により、両方の機械部分１，２間の中央の領域内において極めてコンパクトな、つまり密な配置を達成しており、このような配置は、加熱装置１３．１，１３．２の個別の使用及び調節を妨げるものではない。
【００２４】
図１に示すテクスチャード加工機は、合成繊維糸をテクスチャード加工、ストレッチ（ドラフト）、並びに捲縮して、次いでボビンに巻き取るために適している。この場合に、機械部分１，２内におけるプロセス装置（加工装置若しくは処理装置）の配置及び構成は、例として示してあるものである。例えば図示の個別の駆動部を備える巻き掛け供給装置として示された供給装置は、複数の糸を駆動式の１つの供給軸によって送るようになっている供給装置群として形成されていてよい。
【００２５】
テクスチャード加工機の対称平面内に配置された加熱装置１３．１，１３．２は、熱損失を避けるために、外部（周囲）に対して絶縁ケーシング１４によって保護され、つまり包囲されている。図２及び図３には、図１の加熱装置１３．１，１３．２の構成を詳細に示してある。図２は、加熱装置１３．１，１３．２を包囲して収容する絶縁ケーシング１４の概略的な斜視図であり、図３は、絶縁ケーシング１４及び該絶縁ケーシング１４内に収容されている加熱装置１３．１，１３．２の概略的な断面図である。特に断りのない限り、実施例で説明してある構成事項は両方の構成部分に当てはまるものである。
【００２６】
絶縁ケーシング１４は直方体状若しくは直六面体状に構成されていて、長方形の側部プレート２６及び端部プレート３６によって形成されている。絶縁ケーシング１４は、長方形の側部プレート２６及び端部プレート３６の下側で底部プレート２２によってかつ上側でカバープレート２１によって閉じられている。絶縁ケーシング１４内には、加熱装置１３．１，１３．２を配置してある。加熱装置１３．１，１３．２は、加熱式の加熱管２８．１，２８．２から成るいわゆる小管形ヒーターとして形成されており、加熱装置１３．１の加熱管（加熱用小管）２８．１は、流入端部及び流出端部でもって絶縁ケーシング１４から突出している。加熱装置１３．１は、一群の糸を均一に温度調節するために複数の加熱管２８．１を備えている。図示の実施例では、加熱装置１３．１は全部で７つの加熱管２８．１を有している。さらに加熱装置１３．１は、絶縁ケーシング１４の１つの側部プレート２６に対して平行に配置されている。
【００２７】
絶縁ケーシングの相対する側には、同一構造の第２の加熱装置１３．２を、相対する側部プレート２６に対して平行若しくは並列に配置してある。加熱装置１３．２も、複数の加熱管２８．２を備えており、該加熱管もそれぞれ流入端部及び流出端部でもって絶縁ケーシング１４から突出している。加熱管２８．１は、中空円筒状に形成されていて開口端部を有しており、これにより糸は加熱のために加熱管２８．１，２８．２を通って延びるようになっている。
【００２８】
絶縁ケーシング１４内で加熱装置１３．１と加熱装置１３．２との間に熱遮断部１５を設けてある。図２及び図３の実施例では、熱遮断部（断熱層）１５は、加熱装置１３．１，１３．２のほぼ全長及び全幅にわたって延びる空隙２４によって形成されている。該空隙（エアギャップ）は、上側のカバープレート２１内の開口部（上側の開口部）２３並びに下側の底部プレート２２内の開口部（下側の開口部）２５を介して外部に接続され、つまり、外部の空気（絶縁ケーシングの周囲の空気）によって満たされ若しくは流過されるようになっている。開口部２３，２５はスリット状に形成されていて、一様なスリット幅で空隙２４のほぼ全幅（図３の図平面に対して垂直方向の寸法）にわたって延びる。図示の実施例では、開口部の開口幅（スリット幅）と空隙の開口幅（図３で見て、空隙の水平方向若しくは左右方向の寸法）は同じに形成されている。
【００２９】
図３に示してあるように、加熱装置１３．１，１３．２はそれぞれ、絶縁ケーシング１４内に画成された各絶縁室内に配置されている。加熱装置１３．１は絶縁室２７．１内に配置され、かつ加熱装置１３．２は絶縁室２７．２内に配置されている。絶縁室２７．１，２７．２の画成のために、絶縁ケーシング１４内に２つの仕切板３７を設けてあり、該仕切板（隔壁板）は側部プレート２６に対して平行に延びていて、該仕切板間に空隙２４を画定（画成）している。
【００３０】
両方の加熱装置１３．１，１３．２は互いに同一の構造で形成されており、したがって一方の加熱装置について詳細に説明してある。加熱管２８．１は絶縁ケーシング１４をカバープレート２１から底部プレート２２まで貫通している。絶縁室２７．１内には加熱手段を設けてあり、加熱手段は加熱管２８．１を外側から加熱するようになっている。加熱手段は、実施例では循環回路及び該回路内を流れる熱媒若しくはジフール(diphyl)から成っている。熱媒（熱媒体）の案内及び加熱管２８．１の加熱のために、絶縁室２７．１の上方領域に、管によって形成された分配室２９を設けてあり、該分配室は加熱管２８．１によって貫通されている。分配室２９は流入部３４を介して図示省略の熱媒回路（循環回路）に接続されている。
【００３１】
絶縁室２７．１の下方領域に捕集室３０を設けてあり、該捕集室も加熱管２８．１によって貫通されている。捕集室３０は、流出部３５を介して熱媒回路に接続されている。分配室２９と捕集室３０とは、複数の外周管３１によって互いに接続されており、外周管（外套管若しくは被覆管）は加熱管２８．１とほぼ同軸に配置されていて、加熱管２８．１を完全に包囲している。これにより各加熱管２８．１は、外周管３１内を通される熱媒によって均一に加熱されるようになっている。
【００３２】
分配室２９、捕集室３０及び外周管３１は絶縁室２７．１内で、外部に対する熱損失をできるだけ小さくするために絶縁部材３３によって包囲され、つまり被覆されている。絶縁部材３３としては例えば、ガラスウールを用いてある。
【００３３】
加熱装置１３．１と加熱装置１３．２とは同一に形成されている。加熱管２８．１と加熱管２８．２とは、互いに独立して調整及び制御可能な個別の熱媒回路によってそれぞれ個別に加熱されるようになっている。
【００３４】
図１に示してあるように、絶縁ケーシング１４は、加熱装置１３．１，１３．２の加熱管２８．１，２８．２がほぼ垂直若しくは鉛直に向けられるように対称平面内に保持されている。これにより熱遮断部１５は改善され、つまり、煙突内の自然対流現象のように空隙２４内には空気流が生じ、下方の底部プレート２２の開口部２５を介して周囲から空隙内に流入する空気流は、上方のカバープレート２１の開口部２３を介して周囲（外部）に流出して、空気交換を生ぜしめることになる。熱遮断部によりテクスチャード加工機内に複数の運転条件を生ぜしめることができ、一方の機械部分内では捲縮された糸が熱処理を伴って糸紡されて巻き取られるのに対して、相対する他方の機械部分内では捲縮された糸が熱処理を伴わずに糸紡されて巻き取られるようになっている。この場合に、非作動の加熱装置を通して案内される糸はほとんど加熱されない。重要なことは、例えば絶縁材料によって形成されていてよい熱遮断部の構成に左右されていないことであり、一方の加熱装置のみしか作動させない場合には、糸は非作動の加熱装置内では８０℃より低い最大温度までしか熱せられないようになっている。これにより、非加熱の糸は不都合な熱変化を受けないようになっている。
【００３５】
テクスチャード加工機の両方の機械部分内で捲縮された糸の熱処理を行うような運転状態で不都合な熱損失を避けるために、図４には、例えば図１のテクスチャード加工機に使用可能な絶縁ケーシング１４の別の実施例を示してあり、該絶縁ケーシングは統合された加熱装置１３．１，１３．２を備えている。図４に示す実施例は、図２及び図３に示す実施例とほぼ同一であり、従って説明は相違点について行ってある。
【００３６】
絶縁ケーシング１４の図４に示す実施例において、熱遮断部１５は同じく空隙２４によって形成されている。空隙２４は下側の開口部２５及び上側の開口部２３を介して外部に接続されている。カバープレート２１にカバー３８を取り付けてあり、カバー（蓋）は旋回軸３９を介して２つの位置間で調節されるようになっている。図４に示す位置では、カバー３８は１つの面でカバープレート２１に接触している。この場合に、カバープレート２１に設けられた開口部２３はカバー３８によって閉じられる。
【００３７】
図４に破線で示してあるように、カバー３８を離反旋回（開放旋回）させた位置では、カバープレート２１の開口部２３は開かれて、外部と接続されている。これにより、煙突作用に基づき空隙２４内に生じる対流熱伝達（熱移動）は運転状態に応じて調節されるようになっている。両方の加熱装置１３．１，１３．２をほぼ同一の運転条件で作動させる場合には、上側のカバープレート２１の開口部２３はカバー３８によって閉鎖される。したがって熱遮断部１５内には対流熱伝達は生じていない。
【００３８】
テクスチャード加工機において１つの機械部分でのみ捲縮糸の温度調整を行う場合には、カバー３８は開かれた位置に保たれている。これによって熱遮断部１５内で対流熱伝達が生じるようになる。
【００３９】
カバー３８の構成及び加熱装置１３．１，１３．２への旋回軸３９による結合は、例として示されたものである。カバー３８を、加熱装置に結合されていない分離した構成部分としてカバープレート２１の開口部２３に当てるようにすることも可能であり、この場合にはカバー３８は必要に応じて完全に取り除かれるようになっている。
【００４０】
図１に示すテクスチャード加工機内におけるプロセス装置の形式や配置及び構成は、例として示されたものである。本発明は原理的には、部分的に自動化されたテクスチャード加工機にも完全自動化されたテクスチャード加工機にも用いられるものである。本発明は、テクスチャード加工機の柔軟な使用を可能にしており、機械部分は個別に使用されて、互いに異なるテクスチャード加工された糸を製造できるようになっている。一方の機械部分若しくは両方の機械部分内への１つの加熱装置の組み付け若しくは分解のための変更は不要である。各機械部分は、加熱装置を作動させて運転することも、加熱装置を作動させることなしに運転することも可能である。本発明は、加熱装置を管形ヒーターによって形成することに限定されるものではない。糸案内部材（糸ガイド部材）の電気加熱部を備えた接触式ヒーター若しくは非接触式ヒーターの使用も有利である。１つの加熱装置によって同時に処理される糸の数は、図示の実施例の数に限定されるものではなく、任意に設定されるものである。加熱装置は、糸を個別に処理するために構成されてもよい。
【符号の説明】
【００４１】
１，２  機械部分、  ３．１，３．２  クレールフレーム、  ４．１，４．２  機械フレーム、  ６．１，６．２  引き出し供給装置、  ７．１，７．２  ヒーター、  ８．１，８．２  クーラー、  ９．１，９．２  テクスチャード加工装置、  １０．１，１０．２  ストレッチ装置、  １１．１，１１．２  撚り装置、  ２１．１，１２．２  送り装置、  １３．１，１３．２  加熱装置、  １６．１，１６．２  セット送り装置、  １７．１，１７．２  巻取り装置、  ２１  カバープレート、  ２２  底部プレート、  ２３  開口部、  ２４  空隙、  ２５  開口部、  ２７．１，２７．２  絶縁室、  ２８．１，２８．２  加熱管、  ２９  分配室、  ３０  捕集室、  ３１  外周管、  ３３  絶縁材料、  ３４  流入部、  ３５  流出部、  ４０  糸
【図１】
2010500481.tif 000002
【図２】
2010500481.tif 000003
【図３】
2010500481.tif 000004
【図４】
2010500481.tif 000005
【国際調査報告】
2010500481.tif 000006
2010500481.tif 000007
2010500481.tif 000008
2010500481.tif 000009